(57)【要約】【課題】より利便性の高いオンラインフリーマーケットシステムを提供する。【解決手段】ポータル装置６はフリーマーケット装置２，３，４に記憶された独自形式の商品情報を収集し、フリーマーケット装置２，３，４から指示されたルール変換に従って共通形式の商品情報に変換する。ポータル装置６は、クライアント装置５からの商品取得信号を受信すると、変換した共通形式の商品情報をクライアント装置５に送信し、クライアント装置５からの商品購入信号を受信すると、出品者に通知する。【選択図】図１
2008204054.tif 000002
【特許請求の範囲】
【請求項１】
クライアント装置によるインターネットを介した商品の購入を可能にするネットフリーマーケットシステムであって、
売買の対象となる商品についての商品情報を独自形式の商品情報として記憶しており、前記独自形式の商品情報を共通形式の商品情報に変換するための変換ルールを指示するフリーマーケット装置と、
前記インターネットを介して前記フリーマーケット装置と接続し、また前記インターネットを介して前記クライアント装置と接続しており、前記フリーマーケット装置に記憶された前記独自形式の商品情報を収集し、前記フリーマーケット装置から指示された前記変換ルールに基づいて、収集した前記独自形式の商品情報を前記共通形式の商品情報に変換して記憶し、前記クライアント装置から前記共通形式の商品情報を閲覧する旨の信号を受信すると、記憶した前記共通形式の商品情報を前記クライアント装置に送信し、前記クライアント装置から前記商品を購入する旨の信号を受信すると、前記商品の出品元に前記商品が購入されたことを通知するポータル装置と、を有するネットフリーマーケットシステム。
【請求項２】
前記ポータル装置は、前記フリーマーケット装置に記憶された前記独自形式の商品情報を定期的に収集する、請求項１に記載のネットフリーマーケットシステム。
【請求項３】
前記ポータル装置は、前記クライアント装置からの要求により、前記共通形式の商品情報を新たに記憶したときに前記共通形式の商品情報を前記クライアント装置に自動的に送信するように予め設定しておき、前記共通形式の商品情報を新たに記憶したときに前記共通形式の商品情報を前記クライアント装置に自動送信する、請求項１または２に記載のネットフリーマーケットシステム。
【請求項４】
前記変換ルールは、前記独自形式の商品情報の中の、前記共通形式の商品情報として抽出する部分のテーブル構造を記述したルールであり、
前記フリーマーケット装置は、前記ポータル装置に前記変換ルールを指示し、
前記ポータル装置は、前記フリーマーケット装置から収集した前記独自形式の商品情報のテーブル構造と前記フリーマーケット装置から指示された前記変換ルールのテーブル構造とを照合し、前記独自形式の商品情報の中の一致するテーブル構造の部分を抽出して前記共通形式の商品情報に対応付けすることによって前記独自形式の商品情報を前記共通形式の商品情報に変換する、請求項１から３のいずれか１項に記載のネットフリーマーケットシステム。
【請求項５】
前記ポータル装置は、前記フリーマーケット装置にて前記商品の販売者の連絡先を記憶しており、前記クライアント装置から前記商品を購入する旨の信号を受信すると、前記連絡先宛ての電子メールを生成して前記出品者に通知する、請求項１から４のいずれか１項に記載のネットフリーマーケットシステム。
【請求項６】
前記フリーマーケット装置は、前記クライアント装置から共通形式で送信される商品を購入する旨の信号を自装置で認識可能な独自の購入信号に変更するための信号変換ルールを前記ポータル装置に指示し、
前記ポータル装置は、前記クライアント装置から商品を購入する旨の信号を受信すると、前記フリーマーケット装置から指示された前記信号変換ルールに従って前記商品を購入する旨の信号を前記独自の購入信号に変換して前記フリーマーケット装置に送信する、請求項１から４のいずれか１項に記載のネットフリーマーケットシステム。
【請求項７】
クライアント装置によるインターネットを介したフリーマーケット装置からの商品の購入をポータル装置で仲介するためのオンラインフリーマーケット商品売買方法であって、
前記フリーマーケット装置は、売買の対象となる商品についての商品情報を独自形式の商品情報として記憶しており、前記独自形式の商品情報を共通形式の商品情報に変換するための変換ルールを指示し、
前記ポータル装置は、
前記フリーマーケット装置に記憶された前記独自形式の商品情報を収集し、前記フリーマーケット装置から指示された変換ルールに基づいて収集した前記独自形式の商品情報を前記共通形式の商品情報に変換して記憶しておき、
前記クライアント装置から前記共通形式の商品情報を閲覧する旨の信号を受信すると、記憶しておいた前記共通形式の商品情報を前記クライアント装置に送信し、
前記クライアント装置から前記商品を購入する旨の信号を受信すると、前記商品の出品元に前記商品が購入されたことを通知する、フリーマーケット商品売買方法。
【請求項８】
前記ポータル装置は、前記フリーマーケット装置に記憶された前記独自形式の商品情報を定期的に収集する、請求項７に記載のフリーマーケット商品売買方法。
【請求項９】
前記ポータル装置は、前記クライアント装置からの要求により、前記共通形式の商品情報を新たに記憶したときに前記共通形式の商品情報を前記クライアント装置に自動的に送信するように予め設定しておき、前記共通形式の商品情報を新たに記憶したときに前記共通形式の商品情報を前記クライアント装置に自動送信する、請求項７または８に記載のフリーマーケット商品売買方法。
【請求項１０】
前記変換ルールは、前記独自形式の商品情報の中の、前記共通形式の商品情報として抽出する部分のテーブル構造を記述したルールであり、
前記フリーマーケット装置は、前記ポータル装置に前記変換ルールを指示し、
前記ポータル装置は、前記フリーマーケット装置から収集した前記独自形式の商品情報のテーブル構造と前記フリーマーケット装置から指示された前記変換ルールのテーブル構造とを照合し、前記独自形式の商品情報の中の一致するテーブル構造の部分を抽出して前記共通形式の商品情報に対応付けすることによって前記独自形式の商品情報を前記共通形式の商品情報に変換する、請求項７から９のいずれか１項に記載のフリーマーケット商品売買方法。
【請求項１１】
売買の対象となる商品についての商品情報を独自形式の商品情報として記憶した複数のフリーマーケット装置とインターネットを介して接続し、クライアント装置による前記フリーマーケット装置からの商品の購入を仲介するポータル装置であって、
前記フリーマーケット装置から前記独自形式の商品情報を収集する商品情報収集部と、
前記独自形式の商品情報を共通形式の商品情報に変換するための変換ルールを前記フリーマーケット装置から指示されると、指示された前記変換ルールに従って前記商品情報収集部で収集した前記独自形式の商品情報を前記共通形式の商品情報に変換する情報形式変換部と、
前記クライアント装置から前記共通形式の商品を閲覧する旨の信号を受信すると、前記情報形式変換部で変換された前記共通形式の商品情報を前記クライアント装置に送信する商品情報配信部と、
前記クライアント装置から前記商品を購入する旨の信号を受信すると、前記商品の出品元に前記商品が購入されたことを通知する商品購入希望連絡部と、を有するポータル装置。
【請求項１２】
前記商品情報収集部は、前記フリーマーケット装置に記憶された前記独自形式の商品情報を定期的に収集する、請求項１１に記載のポータル装置。
【請求項１３】
前記商品情報配信部は、前記クライアント装置からの要求により、前記情報形式変換部で前記独自形式の商品情報が前記共通形式の商品情報に変更されたときに、前記共通形式の商品情報を前記クライアント装置に自動的に送信するように予め設定しておき、前記共通形式の商品情報に変更されたときに前記共通形式の商品情報を前記クライアント装置に自動送信する、請求項１１または１２に記載のポータル装置。
【請求項１４】
前記変換ルールは、前記独自形式の商品情報の中の、前記共通形式の商品情報として抽出する部分のテーブル構造を記述したルールであり、
前記フリーマーケット装置は、前記情報形式変換部に前記変換ルールを指示し、
前記情報形式変換部は、前記商品情報収集部で収集した前記独自形式の商品情報のテーブル構造と前記フリーマーケット装置から指示された前記変換ルールのテーブル構造とを照合し、前記独自形式の商品情報の中の一致するテーブル構造の部分を抽出して前記共通形式の商品情報に対応付けすることによって前記独自形式の商品情報を前記共通形式の商品情報に変換する、請求項１１から１３のいずれか１項に記載のポータル装置。
【請求項１５】
コンピュータを、商品の購入を行なうクライアント装置と商品の提供を行なうフリーマーケット装置との間の商品の売買をインターネットを介して仲介するポータル装置として動作させるプログラムであって、
前記フリーマーケット装置に記憶された前記独自形式の商品情報を収集する手順と、
前記独自形式の商品情報を共通形式の商品情報に変換するための変換ルールを前記フリーマーケット装置から指示されると、指示された前記変換ルールに従って前記商品情報収集部で収集した前記独自形式の商品情報を共通形式の商品情報に変換する手順と、
前記クライアント装置から前記共通形式の商品情報を閲覧する旨の信号を受信すると、前記情報形式変換部で変換された前記共通形式の商品情報を前記クライアント装置に送信する手順と、
前記クライアント装置から前記商品を購入する旨の信号を受信すると、前記商品の出品元に前記商品が購入されたことを通知する手順と、をコンピュータに実行させるためのプログラム。
【発明の詳細な説明】
【技術分野】
【０００１】
本発明は、インターネット上で商品の売買を行うオンラインフリーマーケットシステムに関する。
【背景技術】
【０００２】
インターネットの普及に伴いインターネットを利用したフリーマーケット（以下「オンラインフリーマーケット」という）が行なわれるようになっている。オンラインフリーマーケットはある特定の地域で行なわれるような通常のフリーマーケットと異なり、広範囲に亘って出品者と購入者が商品を売買できる。
【０００３】
インターネット上には、このようなオンラインフリーマーケットを提供するサイトが多数存在しており、それぞれのサイトは商品についての情報（以下「商品情報」という）を独自に収集している。そのため、収集した商品情報は各サイトに分散しているので、例えば時計を購入しようとする場合、ユーザは、複数のサイトにアクセスし、それぞれのサイトで時計を検索していた。
【０００４】
これに対して分散している商品情報を共有できるようなオンラインフリーマーケットシステムが提案されている（特許文献１参照）。特許文献１のオンラインフリーマーケットシステムはフリーマーケット装置および相手紹介装置を有している。
【０００５】
フリーマーケット装置は、インターネットに接続しており、インターネットを介して商品情報を購入者や出品者に提供する。フリーマーケット装置は、購入者や出品者から商品情報を受け付けると、受け付けた商品情報を相手紹介装置で認識可能なファーマットに変換して記憶する。
【０００６】
相手紹介装置は、インターネットを介して複数のフリーマーケット装置と接続しており、インターネット上の様々なサイトを巡回する。相手紹介装置は、巡回しているサイト上で出品者からの商品情報を認識すると、認識した出品者の商品情報を記憶するとともに、出品者の商品情報とそれまでに記憶した購入者の商品情報とが一致するか否か判定する。一致すると判定すると、相手先紹介装置は出品者に購入者を紹介する。
【０００７】
また、相手紹介装置は、巡回しているサイト上で購入者からの商品情報であることを認識すると、購入者の商品情報を記憶するととともに、購入者の出品情報とそれまでに記憶している出品者の商品情報とが一致するか否か判定する。一致すると判定すると、相手先紹介装置は購入者に出品者を紹介する。
【０００８】
これにより、商品情報が分散していても、自分の欲しい商品を提供してくれる人や、自分の売りたい商品を欲しがっている人に出会うことが容易となる。
【特許文献１】特開２０００−１５５７８６号公報
【発明の開示】
【発明が解決しようとする課題】
【０００９】
しかしながら、特許文献１のフリーマーケット装置が購入者や出品者から受け付けた商品情報のファーマットを相手紹介装置での共通フォーマットに変換しているので、フリーマーケット装置内にフォーマットを変換するための変換部を搭載する必要があった。
【００１０】
それ故、フリーマーケット装置の管理者は本サービスに参加するために、相手紹介装置の共通フォーマットへの変換部をフリーマーケット装置に実装するという作業を行なう必要があり、全てのフリーマーケット装置の管理者に煩雑な作業が強いられていた。
【００１１】
また、フリーマーケット装置の記憶容量の不足やＯＳ（Ｏｐｅｒａｔｉｎｇ  Ｓｙｓｔｅｍ）の種類によっては変換部を搭載できず、フリーマーケット装置の管理者はオンラインフリーマーケットシステムに参加することができない可能性があった。
【００１２】
本発明の目的は、より利便性の高いオンラインフリーマーケットシステムを提供することにある。
【課題を解決するための手段】
【００１３】
上記目的を達成するために、本発明のオンラインフリーマーケットシステムは、
クライアント装置によるインターネットを介した商品の購入を可能にするオンラインフリーマーケットシステムであって、
売買の対象となる商品についての商品情報を独自形式の商品情報として記憶しており、前記独自形式の商品情報を共通形式の商品情報に変換するための変換ルールを指示するフリーマーケット装置と、
前記インターネットを介して前記フリーマーケット装置と接続し、また前記インターネットを介して前記クライアント装置と接続しており、前記フリーマーケット装置に記憶された前記独自形式の商品情報を収集し、前記フリーマーケット装置から指示された前記変換ルールに基づいて、収集した前記独自形式の商品情報を前記共通形式の商品情報に変換して記憶し、前記クライアント装置から前記商品の閲覧する旨の信号を受信すると、記憶した前記共通形式の商品情報を前記クライアント装置に送信し、前記クライアント装置から前記商品を購入する旨の信号を受信すると、前記商品の出品元に前記商品が購入されたことを通知するポータル装置と、を有している。
【００１４】
本発明によれば、ポータル装置が独自形式の商品情報を共通形式の商品情報に変換するので、フリーマーケット装置に変換部を搭載する必要がなく、オンラインフリーマーケットシステムへの参加が容易になる。
【００１５】
また、前記ポータル装置は、前記フリーマーケット装置に記憶された前記独自形式の商品情報を定期的に収集するようにしてもよい。
【００１６】
これによれば、フリーマーケット装置の管理者の更新に伴う作業を低減できる。
【００１７】
また、前記ポータル装置は、前記クライアント装置からの要求により、前記共通形式の商品情報を新たに記憶したときに前記共通形式の商品情報を前記クライアント装置に自動的に送信するように予め設定しておき、前記共通形式の商品情報を新たに記憶したときに前記共通形式の商品情報を前記クライアント装置に自動送信するようにしてもよい。
【００１８】
これによれば、ユーザは商品情報の更新を確認する手間が省ける。
【発明の効果】
【００１９】
本発明によれば、より利便性の高いオンラインフリーマーケットシステムを提供できる。
【発明を実施するための最良の形態】
【００２０】
本発明を実施するための形態について図面を参照して詳細に説明する。
【００２１】
（第１の実施形態）
図１は第１の実施形態におけるオンラインフリーマーケットシステムの構成を示すブロック図である。本オンラインフリーマーケットシステムは、インターネット１、フリーマーケット装置２，３，４、クライアント装置５、およびフリーマーケットポータル６を有している。
【００２２】
フリーマーケット装置２，３，４は、ＨＴＭＬ（Ｈｙｐｅｒ  Ｔｅｘｔ  Ｍａｒｋｕｐ  Ｌａｎｇｕａｇｅ）で記述された出品者（不図示）からの商品情報（以下「ＨＴＭＬ形式商品情報」という）を記憶している。商品情報には、例えば商品種別、商品名、商品画像のＵＲＬ（Ｕｎｉｆｏｒｍ  Ｒｅｓｏｕｒｃｅ  Ｌｏｃａｔｏｒ）、および出品者のメールアドレスが含まれている。出品者のメールアドレスは商品購入時の連絡先となる。
【００２３】
また、フリーマーケット装置２，３，４は、インターネット１を介してフリーマーケットポータル６と接続しており、フリーマーケット装置２，３，４の管理者によりＲＳＳ変換ルールが指定されると、指定されたＲＳＳ変換ルールをフリーマーケットポータル６に送信する。
【００２４】
ＲＳＳ変換ルールとは、ＨＴＭＬ形式商品情報をＲＳＳ（ＲＤＦ（Ｒｅｓｏｕｒｃｅ  Ｄｅｓｃｒｉｐｔｉｏｎ  Ｆｒａｍｅｗｏｒｋ）  Ｓｉｔｅ  Ｓｕｍｍａｒｙ）形式の商品情報（以下「ＲＳＳ形式商品情報」という）に変換するためのルールである。
【００２５】
ＲＳＳとは、Ｗｅｂサイトの概要となる情報をＸＭＬ（Ｅｘｔｅｎｓｉｂｌｅ  Ｍａｒｋｕｐ  Ｌａｎｇｕａｇｅ）形式で簡潔に記述した文書であり、例えば、タイトル、見出し、更新時刻、および商品情報を記述した文書である。
【００２６】
また、フリーマーケットポータル６はＲＳＳ形式の商品情報を記憶しているので、ＲＳＳ形式商品情報の更新が発生しても、クライアント装置５のユーザはＲＳＳリーダにより更新されたＲＳＳ形式商品情報を自動的に取得できる。これによれば、ユーザはフリーマーケットポータル６にアクセスして商品情報の更新を確認する手間が省ける。
【００２７】
フリーマーケットポータル６は、インターネット１を介してクライアント装置５と接続しており、またインターネット１を介してオンラインフリーマーケット２，３，４と接続している。
【００２８】
フリーマーケットポータル６は、フリーマーケット装置２，３，４に記憶されたＨＴＭＬ形式商品情報を自動的に収集可能であり、フリーマーケット装置２，３，４に記憶されたＨＴＭＬ形式商品情報を収集すると、内部に記憶する。
【００２９】
また、フリーマーケットポータル６は、フリーマーケット装置２，３，４からＲＳＳ変換ルールを受信すると、ＲＳＳ変換ルールに基づいて記憶したＨＴＭＬ形式商品情報をＲＳＳ形式の商品情報へ自動的に変換して記憶する。そして、フリーマーケットポータル６は、クライアント装置５からの要求に応じて記憶したＲＳＳ形式商品情報をクライアント装置５に送信したり、出品者へユーザの個人情報を通知したりする。
【００３０】
これによれば、フリーマーケット装置２，３，４でＨＴＭＬ形式商品情報が更新されると、フリーマーケットポータル６はそのＨＴＭＬ形式商品情報を自動的に収集しＲＳＳ形式商品情報に変換するので、フリーマーケット装置２，３，４の管理者の更新に伴う作業を低減できる。
【００３１】
クライアント装置５はインターネット１を介してフリーマーケットポータル６と接続している。クライアント装置５は、ＲＳＳリーダをプラグインとして組み込んだＷｅｂブラウザを実装しており、フリーマーケットポータル６に記憶されたＲＳＳ形式商品情報を自動的に収集してユーザに表示したり、フリーマーケットポータル６を介して出品者への購入希望通知を行なったりする。
【００３２】
これによれば、クライアント装置５のユーザは、フリーマーケットポータル６にアクセスすることにより、一度にフリーマーケット装置２，３，４の商品情報を取得できるので、容易に商品を検索できる。
【００３３】
図２は本実施形態におけるオンラインフリーマーケットシステムの動作を示すシーケンスチャートである。ここで説明する処理は、ＨＴＭＬ形式商品情報を収集する処理と、商品情報の形式を変換する処理と、商品を購入する処理と、の３つの処理からなる。
【００３４】
まず、ＨＴＭＬ形式商品情報を収集する処理について説明する。出品者はフリーマーケット装置２，３，４に商品情報を通知する（ステップ１００）。フリーマーケット装置２，３，４は、出品者から商品情報を通知されると、通知された商品情報をＨＴＭＬ形式商品情報として記憶する（ステップ１０１）。フリーマーケットポータル６は、フリーマーケット装置２，３，４に記憶されたＨＴＭＬ形式商品情報を定期的に収集する（ステップ１０２）。フリーマーケットポータル６は、フリーマーケット装置２，３，４からＨＴＭＬ形式商品情報を収集すると、収集したＨＴＭＬ形式商品情報を記憶する（ステップ１０３）。
【００３５】
次に、商品情報の形式を変換する処理について説明する。フリーマーケット装置２，３，４は、自装置の管理者によりＲＳＳ変換ルールが指定されると（ステップ１０４）、指定されたＲＳＳ変換ルールをフリーマーケットポータル６に送信する（ステップ１０５）。フリーマーケットポータル６は、フリーマーケット装置２，３，４からＲＳＳ変換ルールを受信すると、内部に記憶する（ステップ１０６）。フリーマーケットポータル６は、ＲＳＳ変換ルールに基づいてＨＴＭＬ形式商品情報をＲＳＳ形式に変換してＲＳＳ形式商品情報として記憶する（ステップ１０７）。
【００３６】
次に、商品を購入する処理について説明する。クライアント装置５は、フリーマーケットポータル６にアクセス要求を行なって（ステップ１０８）、フリーマーケットポータル６からフリーマーケット装置２，３，４からのＲＳＳ形式商品情報を取得する（ステップ１０９）。クライアント装置５は取得したフリーマーケット装置２，３，４からのＲＳＳ形式商品情報をユーザに表示する（ステップ１１０）。
【００３７】
クライアント装置５は、ユーザにより商品の購入が要求されたことを検出すると、フリーマーケットポータル６に商品購入を要求する（ステップ１１１）。フリーマーケットポータル６は、クライアント装置５から商品の購入を要求されると、ＲＳＳ形式商品情報の中から出品者のメールアドレスを取得する（ステップ１１２）フリーマーケットポータル６は出品者へ商品の購入希望を電子メールで通知する（ステップ１１３）。
【００３８】
次に、図３、図４、および図５を参照してＨＴＭＬ形式商品情報からＲＳＳ形式商品情報への形式変換について詳細に説明する。
【００３９】
図３はフリーマーケットポータル６に記憶しているＨＴＭＬ形式商品情報の一例である。
【００４０】
ＨＴＭＬ形式商品情報２５には、２つのテーブル構造が記述されており、例えばＡ、Ｂ、およびＣが商品情報である。
【００４１】
図４はフリーマーケット装置２，３，４におけるＲＳＳ変換ルールを入力する画面の一例を示す図である。ＲＳＳ変換ルール入力画面２０には、ルール入力部２１、決定ボタン２２、およびキャンセルボタン２３が配置されている。
【００４２】
ルール入力部２１はＨＴＭＬ形式商品情報の商品情報を記述しているテーブル構造を入力する。図３のＨＴＭＬ形式商品情報２５では、Ａ、Ｂ、およびＣが商品情報である。その商品情報を記述しているテーブル構造として、＜Ｔａｂｌｅ＞＜ＴＲ＞＜ＴＤ＞＜／ＴＤ＞＜ＴＤ＞＜／ＴＤ＞＜ＴＤ＞＜／ＴＤ＞＜／ＴＲ＞＜／Ｔａｂｌｅ＞のタグの組み合わせをルール入力部２１に入力する。
【００４３】
フリーマーケット装置２，３，４の管理者はルール入力部２１にＲＳＳ変換ルールを入力し、確定であれば決定ボタン２２を押下し、確定でなければキャンセルボタン２３を押下して再度入力する。
【００４４】
図５はＨＴＭＬ形式商品情報をＲＳＳ形式商品情報に変換する処理を示すフローチャートである。
【００４５】
まず、フリーマーケットポータル６は、ＨＴＭＬ形式商品情報からテーブル構造を抜き出す（ステップ１５０）。フリーマーケットポータル６は、テーブル構造を抜き出すと、抜き出したテーブル構造の要素とＲＳＳ変換ルールに記載されたテーブル構造の要素を照合する（ステップ１５１）。一致するテーブル構造に対して、フリーマーケットポータル６は、テーブルの要素、例えば＜ＴＤ＞をＲＳＳ情報の属性に対応付けてＲＳＳ形式商品情報を生成する（ステップ１５２）。フリーマーケットポータル６は生成したＲＳＳ形式商品情報を記憶する（ステップ１５３）。
【００４６】
図６は本実施形態におけるフリーマーケットポータル６の構成を示すブロック図である。本フリーマーケットポータル６は、商品情報収集装置６０、変換ルール装置６１、情報形式変換装置６２、商品情報配信装置６３、商品購入希望連絡装置６４、ＨＴＭＬ形式商品情報記憶装置６５、およびＲＳＳ形式商品情報記憶装置６６を有している。
【００４７】
商品情報収集装置６０は、インターネット１を介してフリーマーケット装置２，３，４と接続しており、フリーマーケット装置２，３，４からＨＴＭＬ形式商品情報のＵＲＬを受信する。
【００４８】
商品情報収集装置６０は、フリーマーケット装置２，３，４から受信したＵＲＬに対して一意となるＷｅｂサイトＩＤを発行するとともに受信したＵＲＬにアクセスしてＨＴＭＬ形式商品情報を収集する。商品情報収集装置６０は、発行したＷｅｂサイトＩＤに収集したＨＴＭＬ形式商品情報とＨＴＭＬ形式商品情報のＵＲＬとを関連付けてＨＴＭＬ形式商品情報記憶装置６５に記憶するとともに、発行したＷｅｂサイトＩＤをフリーマーケット装置２，３，４に送信する。
【００４９】
また、商品情報収集装置６０は、記憶したＨＴＭＬ形式商品情報のＵＲＬに基づいてフリーマーケット装置２，３，４を巡回してＨＴＭＬ形式商品情報の更新を監視する。これによれば、必要なサイトだけを巡回するので、より早期に更新を発見できる。
【００５０】
変換ルール装置６１は、インターネット１を介してフリーマーケット装置２，３，４と接続しており、フリーマーケット装置２，３，４からＷｅｂサイトＩＤを受信すると、受信したＷｅｂサイトＩＤとＨＴＭＬ形式商品情報記憶装置６５に記憶されたＷｅｂサイトＩＤとが一致するか否かを判定する。また、変換ルール装置６１は、フリーマーケット装置２，３，４からＲＳＳ変換ルールを受信すると、ＷｅｂサイトＩＤにＲＳＳ変換ルールを関連付けて記憶する。
【００５１】
また、記憶したＲＳＳ変換ルールは変更可能である。変換ルール６１は、フリーマーケット装置２，３，４からＲＳＳ変換ルールの変更を要求されると、記憶したＲＳＳ変換ルールをフリーマーケット装置２，３，４に送信する。フリーマーケット装置２，３，４は、変換ルール６１からＲＳＳ変換ルールを受信すると、受信したＲＳＳ変換ルールを管理者に表示する。フリーマーケット装置２，３，４の管理者は、表示されたＲＳＳ変換ルールの中で差分となる箇所のみ変更してＲＳＳ変換ルールを更新する。これによれば、ＨＴＭＬ形式商品情報を変更した際に、ＲＳＳ変換ルールの変更箇所のみ変更することにより、管理者の負担が低減できる。
【００５２】
情報形式変換装置６２は、インターネット１を介してフリーマーケット装置２，３，４と接続しており、フリーマーケット装置２，３，４からＷｅｂサイトＩＤを受信すると、受信したＷｅｂサイトＩＤに関連付けられたＨＴＭＬ形式商品情報をＨＴＭＬ形式商品情報記憶装置６５から読み出すとともにＲＳＳ変換ルール装置６１からＲＳＳ変換ルールを読み出す。
【００５３】
情報形式変換装置６２は、ＨＴＭＬ形式商品情報を読み出すと、読み出したＨＴＭＬ形式商品情報からテーブル構造を抜き出し、抜き出したテーブル構造の要素とＲＳＳ変換ルールに記載されたテーブル構造の要素を照会する。一致するテーブル構造に対して、情報形式変換装置６２は、テーブルの要素をＲＳＳ情報の属性に対応付けてＲＳＳ形式商品情報を生成してＲＳＳ形式商品情報記憶装置６６に記憶する。
【００５４】
商品情報配信装置６３は、インターネット１を介してクライアント装置５と接続し、またインターネット１を介してフリーマーケット装置２，３，４と接続している。
【００５５】
商品情報配信装置６３は、クライアント装置５から商品閲覧の要求がされると、ＲＳＳ形式商品情報記憶装置６６に記憶されたＲＳＳ形式商品情報を読み込んでクライアント装置５に送信する。
【００５６】
また、商品情報配信装置６３は、クライアント装置５から検索条件情報を受信すると、受信した検索条件情報とＲＳＳ形式商品情報と照合する。検索条件情報に一致する商品がＲＳＳ形式商品情報に含まれていれば、商品情報配信装置６３は検索条件情報に一致するＲＳＳ形式商品情報の一覧を生成してクライアント装置５に送信する。商品情報配信装置６３は、クライアント装置５から商品購入信号を受信すると、商品購入希望連絡装置６４に商品購入要求を通知する。また、ＲＳＳ形式商品情報記憶装置６６に新たなＲＳＳ形式商品情報が記憶されると、商品情報配信装置６３は所定のクライアント装置５に自動配信する。
【００５７】
商品購入希望連絡装置６４は、商品情報配信装置６３から商品購入要求を通知されると、ＲＳＳ形式商品情報記憶装置６５に記憶しているＨＴＭＬ形式商品情報の中から出品者のメールアドレスを取得する。
【００５８】
商品購入希望連絡装置６４は、ユーザの個人情報を出品者へ伝えるためのＷｅｂフォーム（以下「共通Ｗｅｂフォーム」という）をクライアント装置５に送信し、また共通Ｗｅｂフォームを通じてクライアント装置５からユーザの個人情報を受信する。ユーザの個人情報には、例えば名前、住所、メールアドレス、希望の送金方法、およびコメントが含まれている。
【００５９】
商品購入希望装置６４は、クライアント装置５からユーザの個人情報を受信すると、取得した出品者のメールアドレスを宛先とした電子メールの本文を自動生成して出品者に送信する。なお、電子メールの本文には、商品種別、商品名、商品価格、ユーザの氏名、住所、希望する送金方法、およびコメントが含まれている。
【００６０】
ＨＴＭＬ形式商品情報記憶装置６５は、ＷｅｂサイトＩＤ、ＨＴＭＬ形式商品情報のＵＲＬ、およびＨＴＭＬ形式商品情報を対応付けて記憶している。
【００６１】
ＲＳＳ形式商品情報記憶装置６６はＷｅｂサイトＩＤおよびＲＳＳ形式商品情報を対応付けて記憶している。
【００６２】
次に、図７、図８、図９、図１０、および図１１を参照してフリーマーケットポータル６を構成する各装置の動作を詳細に説明する。
【００６３】
まず、図７を参照して商品情報収集装置６０の動作について詳細に説明する。図７は本実施形態における商品情報収集装置６０の動作を示すフローチャートである。
【００６４】
フリーマーケット装置２，３，４は、商品情報収集装置６０にアクセスし、ＨＴＭＬ形式商品情報のＵＲＬを商品情報収集装置６０に送信する（ステップ２００）。商品情報収集装置６０は、フリーマーケット装置２，３，４からＨＴＭＬ形式商品情報のＵＲＬを受信すると、受信したＵＲＬに対して一意となるＷｅｂサイトＩＤを発行するとともに、受信したＵＲＬに基づいてＨＴＭＬ形式商品情報を収集する（ステップ２０１）。
【００６５】
商品情報収集装置６０は、ＨＴＭＬ形式商品情報を収集すると、発行したＷｅｂサイトＩＤに収集したＨＴＭＬ形式商品情報とＨＴＭＬ形式商品情報のＵＲＬとを関連付けてＨＴＭＬ形式商品情報記憶装置６５に記憶する（ステップ２０２）。商品情報収集装置６０は発行したＷｅｂサイトＩＤをフリーマーケット装置２，３，４に送信する（ステップ２０３）。
【００６６】
商品情報収集装置６０はＨＴＭＬ形式商品情報記憶装置６５に記憶されたＨＴＭＬ形式商品情報のＵＲＬに基づいてＨＴＭＬ形式商品情報の更新を巡回して監視する（ステップ２０４）。フリーマーケット装置２，３，４でＨＴＭＬ形式商品情報が更新されていなければ、ステップ２０４の処理を繰り返す。フリーマーケット装置２，３，４でＨＴＭＬ形式商品情報が更新されていれば、商品情報収集装置６０はＨＴＭＬ形式商品情報を収集してＨＴＭＬ形式商品情報記憶装置６５に記憶する（ステップ２０５）。
【００６７】
図８を参照して変換ルール装置６１の動作について詳細に説明する。図８は本実施形態における変換ルール装置６１の動作を示すフローチャートである。
【００６８】
フリーマーケット装置２，３，４は商品情報収集装置６０から送信されたＷｅｂサイトＩＤの入力を受け付ける（ステップ３００）。フリーマーケット装置２，３，４は、ＷｅｂサイトＩＤが入力されたと判断すると、入力されたＷｅｂサイトＩＤを変換ルール装置６１に送信する（ステップ３０１）。
【００６９】
変換ルール装置６１は、フリーマーケット装置２，３，４からＷｅｂサイトＩＤを受信すると、受信したＷｅｂサイトＩＤとＨＴＭＬ形式商品情報記憶装置６５に記憶されたＷｅｂサイトＩＤとが一致するか否かを判定する（ステップ３０２）。
【００７０】
一致しないと判定すれば、変換ルール装置６１は処理を終了する。一致すると判定すれば、変換ルール装置６１は、そのＷｅｂサイトＩＤに関連付けられたＲＳＳ変換ルールを記憶しているか否か判定する（ステップ３０３）。記憶していると判定すれば、変換ルール装置６１は、フリーマーケット装置２，３，４にＲＳＳ変換ルールの入力要求信号を送信する（ステップ３０４）。
【００７１】
フリーマーケット装置２，３，４は、変換ルール装置６１からＲＳＳ変換ルールの入力要求信号を受信すると、管理者にＲＳＳルールを入力するよう要求する（ステップ３０５）。フリーマーケット装置２，３，４は、管理者からＲＳＳルールを入力されると、入力されたＲＳＳルールを変換ルール装置６１に送信する（ステップ３０６）。
【００７２】
変換ルール装置６１は、フリーマーケット装置２，３，４からＲＳＳ変換ルールを受信すると、ＷｅｂサイトＩＤに受信したＲＳＳ変換ルールを関連付けて記憶する（ステップ３０７）。
【００７３】
ステップ３０３の処理で変換ルールを記憶していると判定すれば、変換ルール装置６１は、記憶しているＲＳＳ変換ルールを読み出して、フリーマーケット装置２，３，４に変更要求を送信する（ステップ３０８）。
【００７４】
フリーマーケット装置２，３，４は、変換ルール装置６１からＲＳＳ変換ルールの変更要求を受信すると、管理者にＲＳＳルールを変更するよう要求する（ステップ３０９）。フリーマーケット装置２，３，４は、管理者からＲＳＳルールを変更されると、変更されたＲＳＳルールを変換ルール装置６１に送信する（ステップ３１０）。
【００７５】
変換ルール装置６１は、フリーマーケット装置２，３，４からＲＳＳ変換ルールを受信すると、ＲＳＳ変換ルールを更新する（ステップ３１１）。
【００７６】
図９を参照して情報形式変換装置６２の動作について詳細に説明する。図９は本実施形態における情報形式変換装置６２の動作を示すフローチャートである。
【００７７】
フリーマーケット装置２，３，４は商品情報収集装置６０で送信されたＷｅｂサイトＩＤの入力を受け付ける（ステップ４００）。フリーマーケット装置２，３，４は、ＷｅｂサイトＩＤが入力されたと判断すると、入力されたＷｅｂサイトＩＤを情報形式変換装置６２に送信する（ステップ４０１）。
【００７８】
情報形式変換装置６２は、フリーマーケット装置２，３，４からＷｅｂサイトＩＤを受信すると、受信したＷｅｂサイトＩＤに対応するＨＴＭＬ形式商品情報とＲＳＳ変換ルールとを読み出す（ステップ４０２）。
【００７９】
次に、情報形式変換装置６２は読み出したＨＴＭＬ形式商品情報からテーブル構造を抜き出す（ステップ４０３）。情報形式変換装置６２は、テーブル構造を抜き出すと、抜き出したテーブル構造の要素とＲＳＳ変換ルールに記載されたテーブル構造の要素を照会する（ステップ４０４）。一致するテーブル構造に対して、情報形式変換装置６２は、テーブルの要素をＲＳＳ情報の属性に対応付けてＲＳＳ形式商品情報を生成する（ステップ４０５）。情報形式変換装置６２は生成したＲＳＳ形式商品情報を記憶する（ステップ４０６）。
【００８０】
次に、図１０を参照して商品情報配信装置６３の動作について詳細に説明する。図１０は本実施形態における商品情報配信装置６３の動作を示すフローチャートである。
【００８１】
商品情報配信装置６３は、クライアント装置５から商品閲覧の要求がされると、ＲＳＳ形式商品情報記憶装置６６に記憶されたＲＳＳ形式商品情報を読み込んでクライアント装置５に送信する（ステップ５００）。
【００８２】
クライアント装置５は、商品情報配信装置６３からＲＳＳ形式商品情報を受信すると、受信したＲＳＳ形式商品情報をユーザに表示する（ステップ５０１）。クライアント装置５は、ユーザからの商品検索により商品の検索条件情報を取得する（ステップ５０２）。クライアント装置５は、ユーザにより入力された検索条件情報を商品情報配信装置６３に送信する（ステップ５０３）。
【００８３】
商品情報配信装置６３は、クライアント装置５から検索条件情報を受信すると、検索条件情報とＲＳＳ形式商品情報と照合して一致するか否かを判定する（ステップ５０４）。一致すると判定すれば、検索条件に合う商品がないので、ステップ５０２に戻ってクライアント装置５に再度検索するよう要求する。
【００８４】
一致すると判定すれば、検索条件に合う商品がＲＳＳ形式商品情報に含まれているので、商品情報配信装置６３は検索条件情報に合うＲＳＳ形式商品情報の一覧を生成してクライアント装置５に送信する。（ステップ５０５）。
【００８５】
クライアント装置５は、商品情報配信装置６３から商品情報を受信すると、受信した商品情報をユーザに表示する（ステップ５０６）。クライアント装置５は、表示している購入希望のリンクがユーザにより選択されるか否かを判定して商品を購入の意思を確認する（ステップ５０７）。
【００８６】
クライアント装置５は、購入希望のリンクが選択されなければ、商品を購入すると判定処理を終了する。クライアント装置５は、購入希望のリンクが選択されれば、商品を購入すると判定し商品情報配信装置６３に商品購入信号を送信する（ステップ５０８）。商品情報配信装置６３は、クライアント装置５から商品購入信号を受信すると、商品購入希望連絡装置６４に商品購入要求を通知する（ステップ５０９）。
【００８７】
次に、図１１を参照して商品購入希望連絡装置６４の動作について詳細に説明する。図１１は本実施形態における商品購入希望連絡装置６４の動作を示すフローチャートである。
【００８８】
商品購入希望連絡装置６４は、商品情報配信装置６３から商品購入要求を通知されると、ＲＳＳ商品情報記憶装置６６に記憶されたＲＳＳ形式商品情報の中から出品者のメールアドレスを読み出す（ステップ６００）。
【００８９】
次に、商品購入希望連絡装置６４は、商品種別、商品名、および商品価格を記述したＷｅｂフォームを生成してクライアント装置５に送信する（ステップ６０１）。クライアント装置５は、商品購入希望連絡装置６４からＷｅｂフォームを受信すると、受信したＷｅｂフォームをユーザに表示する（ステップ６０２）。ユーザは、クライアント装置５に表示されたＷｅｂフォームを通じてユーザの個人情報の入力する（ステップ６０３）。クライアント装置５は、ユーザからユーザの個人情報を入力されると、ユーザの個人情報を商品購入希望連絡装置６４に送信する（ステップ６０４）。
【００９０】
商品購入希望連絡装置６４は、クライアント装置５からユーザの個人情報を受信すると、読み出したメールアドレスを宛先とした電子メールを自動生成する（ステップ６０５）商品購入希望連絡装置６４生成した電子メールを出品者に送信する（ステップ６０６）。
【００９１】
以上説明したように、本実施形態によれば、フリーマーケットポータル６はフリーマーケット装置２，３，４に記憶されたＨＴＭＬ形式商品情報を収集してＲＳＳルール変換に基づいてＲＳＳ形式商品情報に変換する。そして、フリーマーケットポータル６は、クライアント装置５からの商品取得信号に従ってＲＳＳ形式商品情報をクライアント装置５に送信し、クライアント装置５からの商品購入信号に従ってその旨を出品者に通知する。これにより、フリーマーケット装置２，３，４へ変換部を搭載する必要がなく、より容易にオンラインフリーマーケットシステムに参加できる。
【００９２】
（第２の実施形態）
次に、本発明の第２の実施形態について説明する。第２の実施形態のオンラインフリーマーケットシステムは、フリーマーケット装置２，３，４、フリーマーケットポータル７、およびクライアント装置５を有している。
【００９３】
クライアント装置５は第１の実施形態のものと同一の機能を有する装置である。
【００９４】
フリーマーケット装置２，３，４は、独自のＷｅｂフォーム（以下「独自Ｗｅｂフォーム」という）をユーザに表示し、Ｗｅｂフォームを通じてユーザから商品の購入を受け付けている。
【００９５】
フリーマーケットポータル７は、更にＷｅｂフォーム変換装置６７を有している点で、第１の実施形態のフリーマーケットポータル６と異なっている。
【００９６】
次に、図１２を参照してフリーマーケットポータル７の構成について詳細に説明する。図１２は本実施形態におけるフリーマーケットポータル７の構成を示すブロック図である。
【００９７】
本フリーマーケットポータル７は、商品情報収集装置６０、変換ルール装置６１、情報形式変換装置６２、商品情報配信装置６３、商品購入希望連絡装置６４、ＨＴＭＬ形式商品情報記憶装置６５、ＲＳＳ形式商品情報記憶装置６６、およびＷｅｂフォーム変換装置６７を有している。
【００９８】
商品情報収集装置６０、情報形式変換装置６２、商品購入希望連絡装置６４、およびＲＳＳ形式商品情報記憶装置６６は第１の実施形態のものと同一の機能を有する装置である。
【００９９】
変換ルール装置６１は、インターネット１を介してフリーマーケット装置２，３，４と接続しており、フリーマーケット装置２，３，４からＷｅｂサイトＩＤを受信すると、受信したＷｅｂサイトＩＤとＨＴＭＬ形式商品情報記憶装置６５に記憶されたＷｅｂサイトＩＤとが一致するか否かを判定する。
【０１００】
また、変換ルール装置６１は、フリーマーケット装置２，３，４からＲＳＳ変換ルールとＷｅｂフォーム変換ルールを受信すると、ＷｅｂサイトＩＤにＲＳＳ変換ルールとＷｅｂフォーム変換ルールとを関連付けて記憶する。
【０１０１】
Ｗｅｂフォーム変換ルールとは、独自Ｗｅｂフォームのｎａｍｅ属性とフリーマーケットポータル７の共通のＷｅｂフォーム（以下「共通Ｗｅｂフォーム」という）のｎａｍｅ属性とを対応させるための変換ルールである。ｎａｍｅ属性とは、Ｗｅｂフォームの各入力項目の名前として定義される属性である。
【０１０２】
ＲＳＳ形式商品情報記憶装置６６は、独自Ｗｅｂフォームで商品を購入したときに送信されるＵＲＩ（Ｕｎｉｆｏｒｍ  Ｒｅｓｏｕｒｃｅ  Ｉｄｅｎｔｉｆｉｅｒ）（以下「独自ＷｅｂフォームＵＲＩ」という）を記憶している。また、ＲＳＳ形式商品情報記憶装置６６はＷｅｂサイトＩＤおよびＨＴＭＬ形式商品情報を対応付けて記憶している。
【０１０３】
商品購入希望連絡装置６４は、クライアント装置５からユーザの個人情報を共通ＷｅｂフォームのＨＴＴＰ（Ｈｙｐｅｒ  Ｔｅｘｔ  Ｔｒａｎｓｆｅｒ  Ｐｒｏｔｏｃｏｌ）リクエストとして受信すると、受信した共通ＷｅｂフォームのＨＴＴＰリクエストをＷｅｂフォーム変換装置６７に送信する。
【０１０４】
Ｗｅｂフォーム変換装置６７は、商品購入希望連絡装置６４から共通ＷｅｂフォームのＨＴＴＰリクエストを受信すると、変換ルール装置６１からＷｅｂフォーム変換ルールを読み出す。そして、読み出したＷｅｂフォーム変換ルールに従って、Ｗｅｂフォーム変換装置６７は受信した共通ＷｅｂフォームのＨＴＴＰリクエストを独自ＷｅｂフォームのＨＴＴＰリクエストに変換してフリーマーケット装置２，３，４に送信する。
【０１０５】
次に、図１３を参照して本システムの変換ルール装置６１の動作について詳細に説明する。図１３は変換ルール装置６１の動作を示すフローチャートである。
【０１０６】
フリーマーケット装置２，３，４は、ＷｅｂサイトＩＤの入力と、Ｗｅｂフォーム変換ルールまたはＲＳＳ変換ルールのどちらか一方の選択を受け付ける（ステップ８００）。
【０１０７】
フリーマーケット装置２，３，４は、管理者によりＷｅｂサイトＩＤが入力され、またどちらか一方の変換ルールが選択されると、入力されたＷｅｂサイトＩＤと選択された変換ルールを変換ルール装置６１に送信する（ステップ８０１）。
【０１０８】
変換ルール装置６１は、フリーマーケット装置２，３，４からＷｅｂサイトＩＤと変換ルールを受信すると、受信したＷｅｂサイトＩＤとＨＴＭＬ形式商品情報記憶装置６５に記憶されたＷｅｂサイトＩＤとが一致するか否かを判定する（ステップ８０２）。
【０１０９】
一致しないと判定すれば、変換ルール装置６１は処理を終了する。一致すると判定すれば、変換ルール装置６１は変換ルールを記憶しているか否か判定する（ステップ８０３）。変換ルールを記憶していると判定すれば、変換ルール装置６１は、変換ルールを読み出して、フリーマーケット装置２，３，４に変更要求信号を送信する（ステップ８０４）。
【０１１０】
フリーマーケット装置２，３，４は、変換ルール装置６１から変更要求信号を受信すると、管理者に変更するよう要求する（ステップ８０５）。フリーマーケット装置２，３，４は、管理者により変換ルールが変更されると、変更された変換ルールを変換ルール装置６１に送信する（ステップ８０６）。変換ルール装置６１は、フリーマーケット装置２，３，４から変更された変換ルールを受信して変換ルールを更新する（ステップ８０７）。
【０１１１】
ステップ８０３の処理で変換ルールを記憶していないと判定すれば、変換ルール装置６１は、フリーマーケット装置２，３，４に変換ルールの入力要求信号を送信する（ステップ８０８）。
【０１１２】
フリーマーケット装置２，３，４は、変換ルール装置６１から変更要求信号を受信すると、管理者に入力するよう要求する（ステップ８０９）。フリーマーケット装置２，３，４は、管理者により変換ルールが入力されると、入力された変換ルールを変換ルール装置６１に送信する（ステップ８１０）。変換ルール装置６１は、フリーマーケット装置２，３，４から変換ルールを受信すると、ＷｅｂサイトＩＤに受信したＲＳＳ変換ルールとＷｅｂフォーム変換ルールとを関連付けて記憶する（ステップ８１１）。
【０１１３】
次に図１４を参照して商品が購入されたときのフリーマーケットポータル７の動作を説明する。図１４は商品が購入されたときのフリーマーケットポータル７の動作を示すフローチャートである。
【０１１４】
商品購入希望連絡装置６４は、商品情報配信装置６３から商品購入要求を通知されると、ＲＳＳ商品情報記憶装置６６に記憶されたＲＳＳ形式商品情報の中から出品者のメールアドレスを読み出す（ステップ９００）。
【０１１５】
次に、商品購入希望連絡装置６４は、商品種別、商品名、および商品価格を記述した共通Ｗｅｂフォームを生成する（ステップ９０１）。商品購入希望連絡装置６４は、生成した共通Ｗｅｂフォームをクライアント装置５に送信する（ステップ９０２）。クライアント装置５は、商品購入希望連絡装置６４から共通Ｗｅｂフォームを受信すると、ユーザに共通Ｗｅｂフォームを表示してユーザの個人情報の入力を受け付ける（ステップ９０３）。クライアント装置５は、ユーザにより個人情報が入力されると、入力された個人情報をＨＴＴＰリクエストとして商品購入希望連絡装置６４に送信する（ステップ９０４）。
【０１１６】
商品購入希望連絡装置６４は、クライアント装置５からＨＴＴＰリクエストを受信すると、受信したＨＴＴＰリクエストをＷｅｂフォーム変換装置６７に通知する（ステップ９０５）。Ｗｅｂフォーム変換装置６７は、商品購入希望連絡装置６４からＨＴＴＰリクエストを通知されると、変換ルール装置６１に記憶されたＷｅｂフォーム変換ルールと独自ＷｅｂフォームＵＲＩとを読み出す（ステップ９０６）。
【０１１７】
次に、Ｗｅｂフォーム変換装置６７はＷｅｂフォーム変換ルールとＨＴＴＰリクエストを照合して一致するか否か判定する（ステップ９０７）。一致しないと判定すると、Ｗｅｂフォーム変換ルールは処理を終了する。一致すると判定すると、Ｗｅｂフォーム変換装置６７は、読み出したＷｅｂフォーム変換ルールに基づいて受信した共通ＷｅｂフォームのＨＴＴＰリクエストを独自ＷｅｂフォームのＨＴＴＰリクエストに変換して独自ＷｅｂフォームＵＲＩを宛先とした独自ＷｅｂフォームのＨＴＴＰリクエストを生成する（ステップ９０８）。
【０１１８】
Ｗｅｂフォーム変換装置６７は生成したＨＴＴＰリクエストを商品購入希望連絡装置６４に送信する（ステップ９０９）。商品購入希望連絡装置６４は、Ｗｅｂフォーム変換装置６７からＨＴＴＰリクエストを受信すると、受信したＨＴＴＰリクエストをフリーマーケット装置２，３，４に送信する（ステップ９１０）。
【０１１９】
本実施形態によれば、フリーマーケットポータル７は、共通Ｗｅｂフォームにより入力されたユーザの個人情報を受信すると、受信した個人情報を独自Ｗｅｂフォームの形式に変換してフリーマーケット装置２に送信するため、フリーマーケット装置２が独自Ｗｅｂフォームを利用しユーザから商品の購入を受け付けている場合でも、その管理者は環境を変えることなくオンラインフリーマーケットに参加できる。
【図面の簡単な説明】
【０１２０】
【図１】本実施形態におけるオンラインフリーマーケットシステムの構成を示すブロック図である。
【図２】本実施形態におけるオンラインフリーマーケットシステムの動作を示すシーケンスチャートである。
【図３】フリーマーケットポータル６に記憶しているＨＴＭＬ形式商品情報の一例である。
【図４】フリーマーケット装置２，３，４におけるＲＳＳ変換ルールを入力する画面の一例を示す図である。
【図５】ＨＴＭＬ形式商品情報をＲＳＳ形式商品情報に変換する処理を示すフローチャートである。
【図６】本実施形態におけるフリーマーケットポータル６の構成を示すブロック図である。
【図７】本実施形態における商品情報収集装置６０の動作を示すフローチャートである。
【図８】実施形態における変換ルール装置６１の動作を示すフローチャートである。
【図９】本実施形態における情報形式変換装置６２の動作を示すフローチャートである。
【図１０】本実施形態における商品情報配信装置６３の動作を示すフローチャートである。
【図１１】本実施形態における商品購入希望連絡装置６４の動作を示すフローチャートである。
【図１２】本実施形態におけるフリーマーケットポータル７の構成を示すブロック図である。
【図１３】変換ルール装置６１の動作を示すフローチャートである。
【図１４】商品が購入されたときのフリーマーケットポータル７の動作を示すフローチャートである。
【符号の説明】
【０１２１】
１    インターネット
２，３，４  フリーマーケット装置
５    クライアント装置
６，７    フリーマーケットポータル
１００〜１１３，１５０〜１５３，２００〜２０５，３００〜３１１，４００〜４０６，５００〜５０９，６００〜６０６，８００〜８１１，９００〜９１０    ステップ
【図１】
2008204054.tif 000003
【図２】
2008204054.tif 000004
【図３】
2008204054.tif 000005
【図４】
2008204054.tif 000006
【図５】
2008204054.tif 000007
【図６】
2008204054.tif 000008
【図７】
2008204054.tif 000009
【図８】
2008204054.tif 000010
【図９】
2008204054.tif 000011
【図１０】
2008204054.tif 000012
【図１１】
2008204054.tif 000013
【図１２】
2008204054.tif 000014
【図１３】
2008204054.tif 000015
【図１４】
2008204054.tif 000016